(57)【要約】【課題】首を保護すると共に、コストを低くし、眼鏡を着用する者も使用できるフェイスガードを提供する。【解決手段】  弾性を有する湾曲体１１と、湾曲体１１の外面に取り付けられる複数の係止体１２と、係止体１２に支持されると共に、係止させて湾曲状に保持される透明性を有する面材１３とを備えることを特徴とする。当該係止体１２は湾曲体１１を含む面内で交叉する方向に面材１３に係止することもある。また、面材１３が下端部で係止体１２に支持されていることもある。【選択図】図１
2009189543.tif 000002
【特許請求の範囲】
【請求項１】
弾性を有する湾曲体と、
該湾曲体の外面に取り付けられる複数の係止体と、
該係止体に支持されると共に、係止させて湾曲状に保持される透明性を有する面材と
を備えることを特徴とするフェイスガード。
【請求項２】
前記係止体は前記湾曲体を含む面内で交叉する方向に前記面材に係止することを特徴とする請求項１に記載のフェイスガード。
【請求項３】
前記面材が下端部で前記係止体に支持されていることを特徴とする請求項１又は２に記載のフェイスガード。
【請求項４】
前記面材と前記係止体とは着脱自在であることを特徴とする請求項１乃至３の何れかに記載のフェイスガード。
【請求項５】
前記湾曲体は首に設置され、前記面材は自立可能であることを特徴とする請求項１乃至４の何れかに記載のフェイスガード。
【請求項６】
前記湾曲体は取付られる前、平板状を呈し、可撓性を有することを特徴とする請求項１乃至５の何れかに記載のフェイスガード。
【請求項７】
透明性を有する可撓性の面材と、
該面材に接続され、帯状を呈する可撓性の湾曲部とを有し、
該湾曲部が首に設置された時に前記面材は自立可能であることを特徴とするフェイスガード。
【発明の詳細な説明】
【技術分野】
【０００１】
本発明は、作業中に油等の液体や粉塵から顔面を保護するフェイスガードに関する。
【背景技術】
【０００２】
従来のフェイスガードには、鼻と両耳に架け渡して顔面に装着する固定具と、固定具の外側に顔面を覆うシールドとを備えるものがある（例えば、特許文献１参照。）。固定具は、眼鏡のフレームと略同じ構成をなす枠体と、枠体の左右側部に取り付けられ、耳に係止させるつるから構成されており、つるとつるに設置されている狭持片とでシールドが挟み込まれて固定されている。
【０００３】
また、作業者の眉毛等の異物がフェイスガードから下方へ落下するのを防止するために、顔面とシールドの下端との相互間の隙間を覆う受け部材が取り付けられている。受け部材の端部は延在され、当該延在部分が作業者の襟元から衣服に収容されている。
【０００４】
【特許文献１】特開２００６−０５７２０２号公報（段落００１３〜００１４、図１〜２）
【発明の開示】
【発明が解決しようとする課題】
【０００５】
例えば、食品工場や家庭内において揚げ物を調理する場合等の油を使用する際には、顔の下方より油が跳ねるので、顔だけでなく首も防護する必要がある。特許文献１のフェイスガードを使用すると、目的は異なるが、受け部材の延在部分によって油から首を防護することができる。
【０００６】
しかし、特許文献１のフェイスガードを使用することによって、顔と首を油から守るためにはシールドと受け部材の双方が必要であるので、部品数が多くなり、製品のコストが高かった。また、固定具は鼻と両耳に架け渡すので、常時眼鏡を着用している者が特許文献１のフェイスガードを使用するのは困難であった。
【０００７】
本発明の目的は斯かる課題に鑑みてなされたもので、首を保護すると共に、コストを低くし、眼鏡を着用する者も使用できるフェイスガードを提供することである。
【課題を解決するための手段】
【０００８】
本発明のフェイスガードは弾性を有する湾曲体と、前記湾曲体に取り付けられる複数の係止体と、前記係止体に支持されると共に、係止させて湾曲状に保持される透明性を有する面材と
を備えることを特徴とする。
また、前記係止体は前記湾曲体を含む面内で交叉する方向に前記面材に係止することもある。
また、前記面材が下端部で前記係止体に支持されていることもある。
また、前記面材と前記係止体とは着脱自在であることもある。
また、前記湾曲体は首に設置され、前記面材は自立可能であることもある。
また、前記湾曲体は取付けられる前、平板状を呈し、可撓性を有することもある。
本発明のフェイスガードは透明性を有する可撓性の面材と、該面材に接続され、帯状を呈する可撓性の湾曲部とを有し、該湾曲部が首に設置された時に前記面材は自立可能であることを特徴とする。
【発明の効果】
【０００９】
本発明は上記の通り、弾性を有する湾曲体と、湾曲体の外面に取り付けられる複数の係止体と、係止体に支持されると共に、係止させて湾曲状に保持される透明性を有する面材とを備えるので、首を保護すると共に、コストを低くし、眼鏡を着用する者も使用することができる。
【発明を実施するための最良の形態】
【００１０】
以下、図面に基づいて本発明の実施の形態を詳細に説明する。
【００１１】
（実施の形態１）
図１、２に本発明のフェイスガード１の実施例を示す。フェイスガード１は、首等を外側から挟み込みんだ状態で装着される湾曲体１１と、湾曲体１１に取り付けられる複数の係止体１２と、係止体１２に支持されると共に、湾曲状に保持された状態で首及び顔面を覆う面材１３とで構成される。図面では、湾曲体１１が面材１３の下端部に位置した状態で首の正面側に装着されて、顔面及び首、更には耳が面材１３に保護されている。
【００１２】
湾曲体１１は湾曲状を呈し、例えばプラスチック製で弾性力を備えているので、強制的に変形されると自然に元の状態に戻ろうとする。例えば、湾曲体１１は開かれた瞬間に弾性力が作用して閉じようとし、開かれた状態が保持されると外側から内側へ向けた弾性力が発生する。湾曲体１１は一般的な首の曲率より小さい曲率で形成され、首に装着される時には外側へ開かれた状態が保持されるので、首に首の外側から内側への荷重が作用する。
【００１３】
この荷重によって湾曲体１１と首との接触面に摩擦力が発生するので、湾曲体１１は首に留まり、支持される。湾曲体１１の材質がプラスチックである上に、湾曲体１１には多数の孔１１ａが設けられることによって湾曲体１１が軽量化されているので、首のフェイスガード１の支持による負担は小さい。
【００１４】
図面では、孔１１ａは円形状を呈しているが、その形状は問われず、角状等その他の形状でもよい。さらに、孔１１ａの湾曲体１１に対する開口率（孔１１ａの総面積／湾曲体１１の面積）は湾曲体１１の強度との関係で適宜に設定される。また、図面では、湾曲体１１は全体で首を挟み込んでいるが、例えば湾曲体１１の両端部のみで首を挟み込んで首との間に摩擦力を発生させて、首に支持させることも可能である。
【００１５】
面材１３は、例えば図３（ａ）に示すように係止体１２に設置されていない状況では、平面状を呈している。面材１３の材質は、作業性の観点から透明性を有し（半透明を含む）且つ長時間装着しても負担にならない軽量なものが望ましく、厚みを薄くしても高強度で、弾性を保有するＰＥＴ等のプラスチックシートにすることが望ましい。したがって、平面状の面材１３は湾曲状に変形された時、平面状に戻ろうとする、すなわち外側に開こうとする。
【００１６】
面材１３には、係止体１２が挿入する挿通孔１３ｂと、挿通孔１３ｂから形成され、係止体１２に面材１３を係止させる係止孔１３ａとが形成されている。係止体１２は湾曲体１１の外側に取り付けられ、外側に突出しているので、面材１３は着脱自在である。このため、面材１３を容易に交換することができる。また、面材１３には、溝１３ｃが一縁部に形成されており、湾曲体１１が首に設置された際に溝１３ｃが首等の体に嵌合して装着間が向上する。
【００１７】
したがって、面材１３と湾曲体１１とを個別に収納することができるので、空間の有効活用が図られる。さらに、例えば大きさや挿通孔１３ｂの位置が異なる面材１３と、大きさや係止体１２の位置が異なる湾曲体１１とを組み合わせることで、使用する人の顔の大きさや形状に適応させることができる。
【００１８】
図３（ｂ）、（ｃ）に示すように、係止体１２は面材１３を係止する頭部１２Ａと、面材１３に貫通する胴部１２Ｂとからなる。湾曲状に形成されて外側に開こうとする面材１３の係止孔１３ａに胴部１２Ｂが貫通し、係止体１２の頭部１２Ａが面材１３に係止しているので、係止体１２のみで面材１３の形状を変化させた状態で保持すると共に、面材１３を支持することができる。
【００１９】
胴部１２Ｂには例えば雄螺子部（図示せず）が形成され、湾曲体１１に形成された雌螺子部に螺合することによって係止体１２が湾曲体１１に留められることが可能であるが、係止体１２が湾曲体１１に留められる手段は問われない。
【００２０】
ところで、湾曲体１１の外側から係止体１２に差し込まれた面材１３は外側に開いて平面状に戻ろうとするが、係止体１２に係止させるので、面材１３の形状は係止体１２の面材１３への係止状態によって確定する。当該係止状態は係止体１２の位置及び方向、さらに係止孔１３ａの位置に関係する。
【００２１】
例えば、面材１３に沿った係止孔１３ａ間距離Ｌ１が湾曲体１１に沿った係止体１２の頭部１２Ａ間距離Ｌ２より大きいとき、係止体１２が面材１３を湾曲体１１の外側で湾曲状に保持した状態で係止し、湾曲体１１と面材１３との距離が確保される。
【００２２】
また、図面では係止孔１３ａ及び挿通孔１３ｂが矩形状に形成された面材１３の一辺についての外縁部（図において下端部）に位置して、面材１３の係止孔１３ａに係止体１２が係止する。このとき、人の軸（身長方向）に直交する断面は、面材１３の係止体１２が設置されている端部から反対側の端部に向かって大きくなる。したがって、面材１３の軸に直交する断面は、係止体１２が設置されている端部で最小となり、その反対側の端部で最大となる。
【００２３】
首に装着される湾曲体１１に係止体１２が設置されているので首付近で面材１３の断面が最小となり、係止体１２から上方では面材１３によって外側へ傾斜する斜面が形成される。したがって、係止体１２が面材１３を湾曲体１１の外面付近で係止し、面材１３が首の位置で顔面より内側に配設されても、面材１３は顔面及び首を覆いつつ、顔面との距離を確保することが可能である。
【００２４】
また、首に装着された係止体１２から上方で面材１３によって斜面が形成されることにより、面材１３によって髪の毛や眉毛等の異物の落下が防止されると共に、下方で跳ねる油の顔面への浸入が防止される。さらに、首に係止体１２を装着し、面材１３が上方へ向かって平面的に広がるので、髪の毛には何も接触しない。この結果、髪型が変形する（乱れる）ことはないので、フェイスガード１の使用後に髪型を整える手間を省くことができる。
【００２５】
係止体１２によって面材１３を支持すると共に、面材１３の形状を変化させて保持するためには、係止体１２及び係止孔１３ａは双方とも複数個必要である。図面では、２つの係止体１２が湾曲体１１の周方向に沿って２段で並設され、２つの係止孔１３ａが面材１３の外周に沿って並設されている。
【００２６】
頭部１２Ａが外側に広がろうとする面材１３を係止するので、湾曲体１１の周方向に対して面材１３の頭部１２Ａとの接点から外側の部分（以下、外側部分と称す）は平面状に形成され、面材１３の頭部１２Ａとの接点間の部分（以下、内側部分と称す）は湾曲状に形成される。したがって、耳を面材１３で覆うためには、図３に示すように、湾曲体１１の周方向に対して外側部分の方向と、耳と耳とが結ばれた直線Ｘの方向とが交叉する必要がある。
【００２７】
係止体１２の軸方向（図において胴部１２Ｂの方向）が、面材１３を係止する方向と一致する場合、面材１３の外側部分の方向は係止体１２の軸に直交する方向に一致する。したがって、係止体１２の湾曲体１１側から面材１３側へ向かって係止体１２、１２間の水平距離Ｌ３が大きくなると、面材１３の外側部分間の水平距離Ｌ４は端部に近づくにつれて大きくなる。
【００２８】
図面では、両係止体１２、１２の軸方向が直線Ｘと斜めに交叉し、外側部分の方向も直線Ｘと斜めに交叉しているので、胴部１２Ｂの長さが短く、係止体１２、１２付近において面材１３と顔面との距離が近くても、面材１３が耳を覆いつつ、面材１３と耳との距離が確保される。この結果、フェイスガード１の小型化が図られる。
【００２９】
ここで、係止体１２の軸方向が直線Ｘの方向に一致すると、面材１３の外側部分は直線Ｘに直交するので、面材１３と耳との距離を確保するには、湾曲体１１と面材１３との距離、すなわち胴部１２Ｂの長さを耳の外側の面と首との水平距離Ｌ５以上にする必要がある。面材１３と耳とが接触すれば、周囲の音が聞き取り難くなると同時に、装着感が悪くなる等の不具合が生じる。したがって、面材１３と耳との距離を確保する方が好ましく、そうするためには胴部１２Ｂの長さを大きくする必要があるので、フェイスガード１全体が大きくなり、作業に支障を期たす虞がある。
【００３０】
また、係止体１２の軸方向が直線Ｘの方向に直交すると、外側部分と直線Ｘが平行するので、外側部分で耳、さらには顔の側面を覆うことができなくなる。  
【００３１】
図面では湾曲体１１が首に装着させて使用されているが、図４に示すように湾曲体１１を頭部に装着して使用することも可能である。例えば、天井での塗装作業のように、上方から粉塵等が落下する場合には、湾曲体１１を頭部に装着する方が確実に粉塵等から顔面を防護することができる。湾曲体１１と面材１３との距離がほとんどないので、頭部に設置された湾曲体１１で湾曲体１１と面材１３との間からの粉塵等の浸入が防止されると共に、顔面及び首、さらに耳が防護される。
【００３２】
（実施の形態２）
次ぎに、他の実施の形態であるフェイスガード２について説明する。ただし、実施の形態１と共通する部分については、同一の名称・符号を用い、説明を省略する。図５に示すように、実施の形態１の場合に比べて係止体２２の胴部２２Ｂの長さが長く形成され、顔面及び首と面材２３との距離が大きく確保されている。つまり、油等の場所と面材２３との距離を大きく確保されているので、実施の形態１の場合に比して面材２３の面積が小さくても、顔面及び首を防護することができる。
【００３３】
（実施の形態３）
次ぎに、他の実施の形態であるフェイスガード３について説明する。ただし、実施の形態１と共通する部分については、同一の名称・符号を用い、説明を省略する。図６（ａ）に示すように、透明性を有する面材３３から帯状を呈する可撓性の湾曲部３１が形成されている。ここでは、面材３３と湾曲部３１とは同一材料からなり、例えば１枚のシートから一体成形され、湾曲部３１が面材３３の端部から外側に突出して形成されている。したがって、フェイスガード３はプレス加工等の製造方法によって容易に製造され得る。
【００３４】
フェイスガード３は複数本（図において２本）の湾曲部３１を備え、湾曲部３１はそれぞれの軸方向が相違した状態で、面材３３の一方の縁部に接続されている。面材３３の、湾曲部３１の長手方向に直交する中心線Ｃと湾曲部３１の軸方向は斜めに交わり、中心線Ｃ１と湾曲部３１の軸方向とでなす角度のうち、面材３３の湾曲部３１が接続されている縁部寄りの方が小さい。
【００３５】
したがって、図７に示すように、湾曲部３１の軸方向が平行し、且つ湾曲部３１の軸方向と首の方向が略直交した状態で湾曲部３１が首に設置された際に、面材３３は湾曲状に保持されると共に、上方に向かって広がる形で体の軸に対して傾斜する。この結果、湾曲部３１が適切に首に設置されても、面材３３と顔面との距離を確保することができる。
【００３６】
湾曲部３１には、湾曲部３１を連結させて一体化するための一対の係止手段３４が設置されている。係止手段３４は、図６（ａ）に示すように、例えば一方の湾曲部３１に形成される凸部３４ａと、他方の湾曲部３１に形成され、凸部３４ａが貫通して係止する係止孔３４ｂとからなる。
【００３７】
係止手段３４の凸部３４ａが係止手段３４の係止孔３４ａに係止することによって、可撓性と有する湾曲部３１が連結されて湾曲状を呈すると共に、フェイスガード３が湾曲部３１と面材３３とで、平面視リング状を呈し、すなわち、フェイスガード３の周方向に連続する。したがって、湾曲部３１を首に設置してフェイスガード３を着用することができる。
【００３８】
係止孔３４ｂは湾曲部３１の長手方向に複数個（図において３個）形成されているので、両湾曲部３１が係止手段３４によって連結された際の一体化した湾曲部３１の長さの調整を行うことが可能である。複数個形成されるのは凸部３４ａとすることもできる。
【００３９】
係止手段３４の形態は凸部３４ａと係止孔３４ｂとの組合せの他に、図６（ｂ）に示すように、面ファスナーからなる、一方の湾曲部３１に設置されるフック状部材３４ｃと、他方の湾曲部３１に設置されるループ状部材３４ｄとの組合せとすることができる。また、図６（ｃ）に示すように、係止手段３４を少なくとも一方の湾曲部３１に形成された切り込み３４ｅで構成させ、他方の湾曲部３１を切り込み３４ｅに挿入して湾曲部３１を一体化させる方法でもよい。
【００４０】
（実施の形態４）
次ぎに、他の実施の形態であるフェイスガード４について説明する。ただし、実施の形態１と共通する部分については、同一の名称・符号を用い、説明を省略する。図８（ａ）に示すように、フェイスガード４は、透明性を有する面材４３と、帯状を呈する可撓性の湾曲部４１とを有し、面材４３に湾曲部４１が圧着や接着等によって接続されている。フェイスガード４は別個に独立した面材４３と湾曲部４１とが接続されて形成されるので、湾曲部４１又は面材４３の大きさや形状の組合せによって容易に多数の形態の種類を用意することができる。
【００４１】
湾曲部４１は面材４３の端部から外側に突出し、湾曲部４１の突出した部分に係止手段４４が設置されている。係止手段４４の構成及び目的は実施の形態３と同一であり、図においては一方の湾曲部４１の面材４３から突出した部分に凸部４４ａが設けられ、他方の湾曲部４１の面材４３から突出した部分に係止孔４４ｂが設けられている。係止手段４４は、上述の通り面ファスナー、又は切り込みで構成されることも可能である。
【００４２】
湾曲部４１は面材４３の一方の縁部に接続され、図８（ｂ）に示すように、首に適切に装着される時には面材４３の下側の縁部に位置し、面材４３は自立しながら顔面を覆う。面材４３は、係止手段４４によって一本の湾曲部４３の部分同士が連結されて湾曲部４３が湾曲状に形成された時に湾曲部４３の内側に位置する。したがって、平面状に形成された面材４３が弾性を有し、湾曲部４３と共に湾曲状に形成されている場合であっても、湾曲部４３に覆われるので、外側に広がり元に戻ろうとするのが防止される。この結果、圧着等による面材４３と湾曲部４１との接続されている力の軽減も防止される。
【００４３】
（実施の形態５）
次ぎに、他の実施の形態であるフェイスガード５について説明する。ただし、実施の形態１と共通する部分については、同一の名称・符号を用い、説明を省略する。図１０（ａ）〜（Ｃ）に示すように、湾曲体１１の外面から突出して設けられる係止体５２は、断面Ｌ字形状を呈している。図９、図１０に示すように、係止体５２は複数個（図において２個））設けられており、それぞれ湾曲体１１に接続される接続部５２Ａと、接続部５２Ａに連設され、面材５３を係止する係止部５２Ｂとからなる。面材５３は、面材５３に形成されている係止孔５３ａに接続部５２Ａが挿通した状態で、係止体５２の係止部５２Ａの内面に係止している。
【００４４】
係止体５２は、その上端が外側に傾斜して、すなわち上方へ向かうにつれて湾曲体１１間の距離が長くなるように湾曲体１１に設けられている。したがって、面材５３は上端へ向かって外側に広がるように形成される。また、係止体５２は、背面側に向かって係止体５２、５２間の距離が小さくなるように湾曲体１１に設けられているので、係止体５２に係止する面材５３は背面側へ向かって閉じられるように、耳を覆うように形成される。この時、面材５３は上端へ向かって外側に広がるように形成されているので、顔が支障して面材５３が閉じられなくなり、湾曲体１１を首に設置することができなくなるということは招来しない。
【００４５】
面材５３の係止孔５３ａの形状は問われないが、面材５３を裂傷させないという点において係止部５２Ｂ及び接続部５２Ａを通せる形状であることが好ましく、さらには接続部５２Ａの断面形状に一致すれば最適である。面材５３が係止体５２（係止部５２Ｂ）に係止する際に、係止体５２（接続部５２Ａ）に拘束されて確実に固定されるからである。ここで、係止孔５３ａは例えば切り込みでもよい。
【００４６】
また、面材５３の係止孔５３ａは下側端部に向かって係止孔５３ａ、５３ａ間の距離が大きくなるように形成されている。面材５３が係止体５２に設置されると、面材５３は係止体５２の接続部５２Ａより、上端が外側に傾斜する。したがって、図９、図１０（ｂ）に示すように、湾曲体１１が首に設置された際に接続部５２Ａが水平方向に直交して又は接続部５２Ａの上端が前面側に傾斜していれば面材５３は確実に上端が前面側に傾斜する。この場合、面材５３と顔面との間に所定の距離が確保されるので、装着感が損なわれない。また、息等による面材５３の曇りが軽減される。
【００４７】
さらに、図９に示すように、係止部５２Ｂの内側に所望の大きさの平面が形成されていれば、係止部５２Ｂと面材５３との接触面が大きくなるので、面材５３が係止部５２Ｂに係止するときの面材５３の安定性が向上し、ズレにくくなります。係止部５２Ｂ内側の平面の大きさは、面材５３の大きさ等によって適宜に設定される。
【００４８】
（その他の実施の形態）
なお、本発明は、上記各実施の形態に限定されるものではない。上記実施の形態は、例示であり、本発明の特許請求の範囲に記載された技術的思想と実質的に同一な構成を有し、同様な作用効果を奏するものは、いかなるものであっても本発明の技術的範囲に包含される。
【図面の簡単な説明】
【００４９】
【図１】実施の形態１のフェイスガードを首に装着した様子を表す斜視図である。
【図２】図１のフェイスガードの平面図である。
【図３】（ａ）図１の面材の正面図、（ｂ）は図１の湾曲体に係止体が設置された様子を表す平面図、（ｃ）は図３（ｂ）の湾曲体に係止体が設置された様子を表す正面図である。
【図４】図１のフェイスガードを頭部に装着した様子を表す斜視図である。
【図５】実施の形態２におけるフェイスガードを首に装着した様子を表す斜視図である。
【図６】（ａ）は実施の形態３におけるフェイスガードの正面図、（ｂ）は図６（ａ）の係止手段３４の形態が異なるフェイスガードの正面図、（ｃ）は図６（ａ）の係止手段３４の形態が異なるフェイスガードの正面図。
【図７】図６（ａ）のフェイスガードが首に装着された様子を表す側面図である。
【図８】（ａ）実施の形態４におけるフェイスガードの正面図、（ｂ）は図８（ａ）のフェイスガードが首に装着された様子を表す側面図である。
【図９】実施の形態５におけるフェイスガードを首に装着した様子を表す斜視図である。
【図１０】（ａ）図９の面材の側面図、（ｂ）は図９の湾曲体に係止体が設置された様子を表す平面図、（ｃ）は図１０（ｂ）の湾曲体に係止体が設置された様子を表す正面図である。
【符号の説明】
【００５０】
１………フェイスガード
２………フェイスガード
３………フェイスガード
４………フェイスガード
５………フェイスガード
１１……湾曲体
１１ａ…孔
１２……係止体
１２Ａ…頭部
１２Ｂ…胴部
１３……面材
１３ａ…係止孔
１３ｂ…挿通孔
１３ｃ…溝
２２……係止体
２２Ａ…頭部
２２Ｂ…胴部
２３……面材
２３ａ…係止孔
２３ｂ…挿通孔
３１……湾曲部（湾曲体）
３３……面材
３４……係止手段
３４ａ…凸部
３４ｂ…係止孔
３４ｃ…フック状部材
３４ｄ…ループ状部材
３４ｅ…切り込み
４１……湾曲部
４３……面材
４４……係止手段
４４ａ…凸部
４４ｂ…係止孔
５２……係止体
５２Ａ…接続部
５２Ｂ…係止部
５３……面材
５３ａ…係止孔
Ｌ１……面材に沿った係止孔間距離
Ｌ２……湾曲体に沿った頭部間距離
Ｌ３……係止体間の水平距離
Ｌ４……面材の外側部分間の水平距離
Ｌ５……耳の外側の面と首との水平距離
Ｘ………耳と耳とが結ばれた直線
Ｃ………中心線
【図１】
2009189543.tif 000003
【図２】
2009189543.tif 000004
【図３】
2009189543.tif 000005
【図４】
2009189543.tif 000006
【図５】
2009189543.tif 000007
【図６】
2009189543.tif 000008
【図７】
2009189543.tif 000009
【図８】
2009189543.tif 000010
【図９】
2009189543.tif 000011
【図１０】
2009189543.tif 000012